(57)【要約】【課題】本発明は、浴室内に霧状の温水を噴霧することができるとともに、前記浴室内の温度、給湯、風呂温度を前記浴室の内部および／または外部に設けられているリモートコントローラによって変更することができるサウナ効果を備えた浴室温度制御装置に関するものである。【解決手段】本発明の給湯装置は、予め設定された温度に基づいて、浴槽への温水を送出するとともに、前記浴室内に設置された噴霧ノズルから霧状の温水および／または温風を送出する。前記浴室内には、人体の有無を検出する人体センサが設置されている。温水温度制御手段は、前記浴室内における人体の有無により、噴射する霧状の温水および／または温風の温度を調整することができる。すなわち、前記給湯装置は、一つの温水温度制御手段により、供給する温水または温風の送出量および送出力を変えるだけで、噴射する霧状の温水および／または温風を前記浴室内に送出することができる。【選択図】図１
2007232300.tif 000002
【特許請求の範囲】
【請求項１】
浴室内における噴射ノズルから出る霧状の温水および／または浴室内に送出する温風の温度を制御するサウナ効果を備えた浴室温度制御装置において、
予め設定された温度に基づいて、浴槽への温水を送出するとともに、霧状の温水および／または温風を送出する給湯装置と、
前記浴室内にいる人体の有無を検出するように設置されている人体センサと、
前記霧状の温水および／または温風を前記浴室内に噴射する噴射ノズルと、
前記浴室内における人体の有無により、噴射する霧状の温水および／または温風の温度を調整することができる温水温度制御手段と、
を少なくとも備えていることを特徴とするサウナ効果を備えた浴室温度制御装置。
【請求項２】
前記人体センサが人体を検出しない場合、前記温水温度制御手段により、噴射する霧状の温水および／または温風の温度を設定温度より高くすることを特徴とする請求項１に記載されたサウナ効果を備えた浴室温度制御装置。
【請求項３】
前記人体センサが人体を検出しない場合、前記温水温度制御手段により、所定時間だけ噴射する霧状の温水および／または温風の温度を設定温度より高くすることを特徴とする請求項１に記載されたサウナ効果を備えた浴室温度制御装置。
【請求項４】
前記人体センサが人体を検出しない場合、前記温水温度制御手段により、所定時間だけ噴射する霧状の温水および／または温風の温度を設定温度より高くした後、前記温度を設定温度に戻すことを特徴とする請求項１から請求項３のいずれか１項に記載されたサウナ効果を備えた浴室温度制御装置。
【請求項５】
前記人体センサが人体を検出した場合、前記温水温度制御手段により、噴射する霧状の温水および／または温風の温度を設定温度にすることを特徴とする請求項１から請求項４のいずれか１項に記載されたサウナ効果を備えた浴室温度制御装置。
【請求項６】
前記人体センサが人体を検出した場合、前記温水温度制御手段により、噴射する霧状の温水および／または温風の温度を設定温度にした後、前記人体センサが人体を検出しない場合、温水温度制御手段の消し忘れであるとして、前記噴射する霧状の温水および／または温風を停止することを特徴とする請求項１から請求項５のいずれか１項に記載されたサウナ効果を備えた浴室温度制御装置。
【請求項７】
前記人体センサおよび浴室温度センサは、浴室内のリモートコントローラに内蔵されていることを特徴とする請求項１から請求項６のいずれか１項に記載されたサウナ効果を備えた浴室温度制御装置。
【請求項８】
前記浴室内の温度は、浴室内に備えられたリモートコントローラに内蔵されている浴室内温度センサで検出された温度に基づいて制御されることを特徴とする請求項１から請求項７のいずれか１項に記載されたサウナ効果を備えた浴室温度制御装置。
【請求項９】
前記温水温度制御手段の消し忘れであると判断するための時間は、前記浴室内のリモートコントローラおよび／または浴室外のリモートコントローラで設定できることを特徴とする請求項１から請求項８のいずれか１項に記載されたサウナ効果を備えた浴室温度制御装置。
【請求項１０】
前記所定時間および前記温水温度制御手段の消し忘れであると判断するための時間と、温度の設定は、設置地域および季節により異なり、データとして温度調整記憶手段に記憶されていることを特徴とする請求項１から請求項９のいずれか１項に記載されたサウナ効果を備えた浴室温度制御装置。
【請求項１１】
前記温度調整記憶手段は、不揮発性記憶素子からなり、前記温水温度制御手段の消し忘れと判断するための時間が記憶されており、次回運転時に前記時間によって制御されることを特徴とする請求項１０に記載されたサウナ効果を備えた浴室温度制御装置。
【請求項１２】
前記温水温度制御手段は、温水量および／または送風量を変えることにより、噴射ノズルから温水の噴射および／または温風の送出となることを特徴とする請求項１から請求項１１のいずれか１項に記載されたサウナ効果を備えた浴室温度制御装置。
【発明の詳細な説明】
【技術分野】
【０００１】
本発明は、浴室内に霧状の温水を噴霧することができるサウナ効果を備えた浴室温度制御装置に関するものである。また、本発明は、浴室内に霧状の温水を噴霧することができるとともに、前記浴室内の温度、給湯、風呂温度を前記浴室の内部および／または外部に設けられているリモートコントローラによって変更することができるサウナ効果を備えた浴室温度制御装置に関するものである。さらに、本発明は、ユーザにとって安全で、かつ、迅速に浴室内を暖めることができるサウナ効果を備えた浴室温度制御装置に関するものである。
【背景技術】
【０００２】
たとえば、特開平０８−０２８９２８号公報における浴室温度制御装置は、浴槽内の湯温を検知する浴槽内湯温センサと、浴槽内湯温センサで検知された湯温に応じて予め設定された設定温度に浴槽内の湯温を制御する浴槽内湯温制御装置と、浴室内の湯温を検知する浴室内温度センサと、浴室内温度センサで検知された温度に応じて予め設定された設定温度に浴室内の温度を制御する浴室温度制御装置と、脱衣室内の温度を検知する脱衣室内温度センサと、脱衣室内温度センサで検知された温度に応じて予め設定された設定温度に脱衣室内の温度を制御する脱衣室温度制御装置と、前記各制御装置の設定温度を設定する協調制御手段とを備えている。
【０００３】
近年、給湯機は、その機能に付加価値を高めるため、浴室内に霧状の温水を噴霧し、サウナ効果を得るための設備を備えたものがある。また、前記給湯機は、サウナのみの使用ではなく、寒冷期において、浴室内を暖めるためにも使用される。ユーザは、前記浴室内を暖めようとする場合、浴室内または浴室外に設置されたリモートコントローラの操作により、温水噴霧装置の作動を行っている。前記給湯機は、ユーザにより要求された温水噴霧装置の作動を行ない、予め定められた温度の温水を前記浴室内に噴霧する。前記浴室内に噴霧する温水の温度は、人体に対して熱すぎず、悪影響を与えない温度で噴霧する。
【特許文献１】特開平０８−０２８９２８号公報
【発明の開示】
【発明が解決しようとする課題】
【０００４】
前記温水噴霧の開始から前記浴室温度が温まるまでの時間は、もともとの浴室内の温度により変動するが、寒冷期における浴室内の温度が適温まで上昇するまでに、夏期と比較して時間が多くかかる。前記浴室の温度は、温水噴霧装置より噴霧される温水の温度を設定された温度より高めにして噴霧することにより、設定された温度の温水を噴霧する場合より、迅速に暖められる。しかし、前記浴室の温度は、前記浴室内にユーザがいた場合、ユーザに熱すぎる温水が噴霧されるため、設定された温度で温水が噴霧されねばならず、前記浴室内の温度を適温まで上昇させるために時間がかかるという問題を有した。また、温水噴射装置は、ユーザが使用し終わった場合、前記ユーザが動作を停止させるものであるが、停止操作を忘れた場合、無人となった前記浴室内に温水が噴霧され続けるという問題を有した。
【０００５】
以上のような課題を解決するために、本発明は、所定の温度に暖められた温水の温水量および／または温風量が調整されることにより、浴室内に温水の噴霧および／または温風を送出するサウナ効果を備えた浴室温度制御装置を提供することを目的とする。本発明は、人体の有無により温水の噴霧および／または温風の温度を設定温度より高く、あるいは設定温度にすることにより、速くかつ安全に利用できるだけでなく、無駄な動作を防ぐことができるサウナ効果を備えた浴室温度制御装置を提供することを目的とする。
【課題を解決するための手段】
【０００６】
（第１発明）
第１発明のサウナ効果を備えた浴室温度制御装置は、浴室内における噴射ノズルから出る霧状の温水および／または浴室内に送出する温風の温度を制御するものであり、予め設定された温度に基づいて、浴槽への温水を送出するとともに、霧状の温水および／または温風を送出する給湯装置と、前記浴室内にいる人体の有無を検出するように設置されている人体センサと、前記霧状の温水および／または温風を前記浴室内に噴射する噴射ノズルと、前記浴室内における人体の有無により、噴射する霧状の温水および／または温風の温度を調整することができる温水温度制御手段とを少なくとも備えていることを特徴とする。
【０００７】
（第２発明）
第２発明のサウナ効果を備えた浴室温度制御装置は、第１発明の人体センサが人体を検出しない場合、前記温水温度制御手段により、噴射する霧状の温水および／または温風の温度を設定温度より高くすることを特徴とする。
【０００８】
（第３発明）
第３発明のサウナ効果を備えた浴室温度制御装置は、第１発明の人体センサが人体を検出しない場合、前記温水温度制御手段により、所定時間だけ噴射する霧状の温水および／または温風の温度を設定温度より高くすることを特徴とする。
【０００９】
（第４発明）
第４発明のサウナ効果を備えた浴室温度制御装置は、第１発明から第３発明の人体センサが人体を検出しない場合、前記温水温度制御手段により、所定時間だけ噴射する霧状の温水および／または温風の温度を設定温度より高くした後、前記温度を設定温度に戻すことを特徴とする。
【００１０】
（第５発明）
第５発明のサウナ効果を備えた浴室温度制御装置は、第１発明から第４発明の人体センサが人体を検出した場合、前記温水温度制御手段により、噴射する霧状の温水および／または温風の温度を設定温度にすることを特徴とする。
【００１１】
（第６発明）
第６発明のサウナ効果を備えた浴室温度制御装置は、第１発明から第５発明の人体センサが人体を検出した場合、前記温水温度制御手段により、噴射する霧状の温水および／または温風の温度を設定温度にした後、前記人体センサが人体を検出しない場合、温水温度制御手段の消し忘れであるとして、前記噴射する霧状の温水および／または温風を停止することを特徴とする。
【００１２】
（第７発明）
第７発明のサウナ効果を備えた浴室温度制御装置は、第１発明から第６発明の人体センサおよび浴室温度センサが浴室内のリモートコントローラに内蔵されていることを特徴とする。
【００１３】
（第８発明）
第８発明のサウナ効果を備えた浴室温度制御装置は、第１発明から第７発明における浴室内の温度が浴室内に備えられたリモートコントローラに内蔵されている浴室内温度センサで検出された温度に基づいて制御されることを特徴とする。 
【００１４】
（第９発明）
第９発明のサウナ効果を備えた浴室温度制御装置は、第１発明から第８発明における温水温度制御手段の消し忘れであると判断するための時間は、前記浴室内のリモートコントローラおよび／または浴室外のリモートコントローラで設定できることを特徴とする。
【００１５】
（第１０発明）
第１０発明のサウナ効果を備えた浴室温度制御装置は、第１発明から第９発明における所定時間および前記温水温度制御手段の消し忘れであると判断するための時間と、温度の設定は、設置地域および季節により異なり、データとして温度調整記憶手段に記憶されていることを特徴とする。
【００１６】
（第１１発明）
第１１発明のサウナ効果を備えた浴室温度制御装置は、第１０発明における温度調整記憶手段が不揮発性記憶素子からなり、前記温水温度制御手段の消し忘れと判断するための時間が記憶されており、次回運転時に前記時間によって制御されることを特徴とする。
【００１７】
（第１２発明）
第１２発明のサウナ効果を備えた浴室温度制御装置は、第１発明から第１１発明における温水温度制御手段が温水量および／または送風量を変えることにより、噴射ノズルから温水の噴射および／または温風の送出となることを特徴とする。
【発明の効果】
【００１８】
本発明によれば、人体センサにより、浴室内に人がいないことを確認して、設定温度より所定温度を上昇させた霧状の温水および／または温風を浴室内に送出することができるため、前記浴室を暖める時間を短縮することができる。
【００１９】
本発明によれば、人体センサにより、浴室内に人がいないことを所定時間以上検出した場合、霧状の温水および／または温風の切り忘れであると判断して、温水温度制御手段を停止するようにして、無駄な運転を無くすことができる。
【００２０】
本発明によれば、温水温度制御手段によって加熱された温水の量および／または風量を調整するだけで、霧状のサウナまたは浴室内を暖める温風にすることができ、一つの装置で簡単にサウナ機能と浴室暖房機能を有することができる。
【発明を実施するための最良の形態】
【００２１】
（第１発明）
第１発明のサウナ効果を備えた浴室温度制御装置は、浴室内における噴射ノズルから霧状の温水を噴射してサウナ効果を奏するとともに、前記噴射ノズルから温風を送出して浴室内の温度を適温まで上昇させるものであり、設置された地域あるいは季節によって前記霧状の温水および温風の温度を制御できるものである。給湯装置は、予め設定された温度に基づいて、浴槽への温水を送出するとともに、前記浴室内に設置された噴射ノズルから霧状の温水および／または温風を送出する。前記浴室内には、人体の有無を検出する人体センサが、たとえば、人の出入を直ちに感知できるような場所に設置されている。
【００２２】
温水温度制御手段は、前記浴室内における人体の有無により、噴射する霧状の温水および／または温風の温度を調整することができる。すなわち、前記給湯装置は、一つの温水温度制御手段により、供給する温水または温風の送出量および送出力を変えるだけで、噴射する霧状の温水および／または温風を前記浴室内に送出することができる。
【００２３】
（第２発明）
第２発明のサウナ効果を備えた浴室温度制御装置は、第１発明の人体センサで人体が検出されない場合、前記温水温度制御手段により、噴射する霧状の温水および／または温風の温度を設定温度より高くすることができる。すなわち、前記温水温度制御装置は、人体が前記人体センサにより検出されない場合、前記噴射する霧状の温水および／または温風の温度を短時間で設定温度に達するように、前記設定温度より高くすることができる。したがって、ユーザは、噴射する霧状の温水および／または温風が設定温度になるまでの待つ時間が少なく、速く利用することができる。
【００２４】
（第３発明）
第３発明のサウナ効果を備えた浴室温度制御装置は、第１発明または第２発明の人体センサで人体が検出されない場合、前記温水温度制御手段により、予めタイマー等で設定された所定時間だけ、噴射する霧状の温水および／または温風の温度を設定温度より高くすることができる。たとえば、ユーザは、衣服を脱いで浴室に入るまでの時間を予め設定しておくことにより、浴室に入った時に、程よい温度で噴射する霧状の温水および／または温風を受けることができる。
【００２５】
（第４発明）
第４発明のサウナ効果を備えた浴室温度制御装置は、第１発明から第３発明の人体センサで人体が検出されない場合、前記温水温度制御手段により、予めタイマー等で設定された所定時間だけ、噴射する霧状の温水および／または温風の温度を設定温度より高くした後、自動的に、前記温度を設定温度に戻すことができる。第４発明のサウナ効果を備えた浴室温度制御装置は、設定温度より高い温度で噴射する霧状の温水および／または温風の温度を速く上げ、その後、自動的に設定温度に戻すことにより、ユーザにとって、前記浴室内を心地よい温度に保持することができる。
【００２６】
（第５発明）
第５発明のサウナ効果を備えた浴室温度制御装置は、第１発明から第４発明の人体センサで人体が検出された場合、前記温水温度制御手段により、噴射する霧状の温水および／または温風の温度を設定温度に低下させることにより、ユーザが熱い噴射する霧状の温水および／または温風に接することなく、快適な温度で入浴を行うことができる。
【００２７】
（第６発明）
第６発明のサウナ効果を備えた浴室温度制御装置は、第１発明から第５発明の人体センサで人体が検出された場合、前記温水温度制御手段により、噴射する霧状の温水および／または温風の温度を設定温度にして、ユーザに熱い思いをさせないようになっている。また、前記温水温度制御手段は、噴射する霧状の温水および／または温風の温度が設定温度になった後、前記人体センサで人体が検出されない場合、温水温度制御手段の消し忘れであるとして、前記噴射する霧状の温水および／または温風を停止するようになっている。前記人体センサは、ユーザが速く入浴できるようにするとともに、入浴中の噴射する霧状の温水および／または温風の温度を適温にし、さらに、ユーザの入浴後に給湯装置を停止するようにすることができる。
【００２８】
（第７発明）
第７発明のサウナ効果を備えた浴室温度制御装置は、第１発明から第６発明の人体センサおよび浴室温度センサを浴室内のリモートコントローラに内蔵する。前記人体センサおよび浴室温度センサは、浴室内のリモートコントローラに内蔵されているため、特別の設置場所および取付工事が不要になる。
【００２９】
（第８発明）
第８発明のサウナ効果を備えた浴室制御装置は、第１発明から第７発明において、浴室内の温度を前記浴室内に備えられているリモートコントローラに内蔵されている浴室内温度センサで検出し、前記浴室内温度センサで検出された温度に基づいて制御されている。前記浴室内温度センサは、予め出荷前に前記リモートコントローラ内に組み込んでおき、浴室とともに設置することができる。
【００３０】
（第９発明）
第９発明のサウナ効果を備えた浴室温度制御装置は、第１発明から第８発明において、前記温水温度制御手段の消し忘れであると判断するための時間を前記浴室内のリモートコントローラおよび／または浴室外のリモートコントローラで設定することができる。前記浴室温度制御装置は、ユーザがタオルまたは石鹸等を取るために僅かな時間、前記浴室を出たような場合、消し忘れと判断しないようになっている。
【００３１】
（第１０発明）
第１０発明のサウナ効果を備えた浴室温度制御装置において、第１発明から第９発明の温水温度制御手段の消し忘れであると判断するための時間と、温度の設定は、設置地域、たとえば、北海道、関東、九州等の地域、および季節、たとえば、春、夏、秋、冬等により異なり、これらを標準のデータとして温度調整記憶手段に記憶されている。前記所定時間および温度の設定は、予め温度調整記憶手段に記憶されている標準データを基にするが、ユーザの好みによりリモートコントローラの操作部で任意に変更することができる。
【００３２】
（第１１発明）
第１１発明のサウナ効果を備えた浴室温度制御装置において、第１０発明の温度調整記憶手段は、不揮発性記憶素子からなり、前記温水温度制御手段の消し忘れと判断するための時間が記憶されているとともに、次回、サウナ効果を備えた浴室温度制御装置を運転する際に、前記不揮発性記憶素子に記憶されている前記温水温度制御手段の消し忘れと判断するための時間によって制御されるようになっている。
【００３３】
（第１２発明）
第１２発明のサウナ効果を備えた浴室温度制御装置は、第１発明から第１１発明の温水温度制御手段における温水量および／または送風量を変えることにより、噴射ノズルから温水の噴射および／または温風の送出となる。すなわち、噴射ノズルから噴射する温水は、温水と温風の量が適当である場合、サウナになり、温水を無くし、温風だけにすると、浴室の暖房になる。第１２発明は、前記温水と温風の量を選択することにより、ユーザの好みにあった温水および温風を噴射ノズルから送出することができる。
【実施例１】
【００３４】
図１は本発明の実施例であるサウナ効果を備えた浴室温度制御装置のブロック概念図である。図１において、サウナ効果を備えた浴室温度制御装置は、浴室１１および給湯装置１２から構成されている。前記浴室１１は、浴槽１１１と、浴室内リモートコントローラ１１２と、温水を噴霧することができる噴射ノズル１１３とから少なくとも構成されている。前記浴室内リモートコントローラ１１２は、前記浴室内リモートコントローラ１１２を操作する操作部１１２１と、前記浴室内における人体の有無を検出する人体センサ１１２２と、前記浴室内の温度を検出する浴室内温度センサ１１２３と、前記操作部１１２１で設定した温度等が表示される表示部１１２４とから少なくとも構成されている。
【００３５】
前記給湯装置１２は、前記噴射ノズル１１３から霧状の温水を噴射する温水噴霧手段１２１と、前記霧状の温水を噴射ノズル１１３に送出する送出管１２２と、前記温水を所定の温度に制御する温水温度制御手段１２３と、前記温水温度制御手段１２３に水を供給する水道管１２４と、前記温水温度制御手段１２３で所定の温度に加熱された湯を前記浴槽１１１に送出する湯供給管１２５と、水道水と温水温度制御手段１２３から送出する温水を混合する混合弁１２６と、前記温水温度制御手段１２３からの温水と温水噴霧手段１２１からの霧状の温水または温風とを切り替える切替弁１２７と、前記浴室１１外に設けられた浴室外リモートコントローラ１２８とから少なくとも構成されている。
【００３６】
前記浴室外リモートコントローラ１２８は、前記浴室外リモートコントローラ１２８を操作する操作部１２８１と、前記操作部１２８１で設定した温度等が表示される表示部１２８２とから少なくとも構成されている。
【００３７】
図２は本発明の実施例であるサウナ効果を備えた浴室温度制御装置のブロック構成図である。図２において、サウナ効果を備えた浴室温度制御装置は、温水温度制御手段２１１と、温度設定手段２１２と、人体センサ２１３と、温度調整記憶手段２１４と、温水量および／または温風量調整手段２１５と、温水噴霧手段２１６と、浴室温度センサ２１７と、タイマー２１８と、温風送出手段２１９とから少なくとも構成されている。
【００３８】
前記温水温度制御手段２１１は、水道管１２４（図１参照）からの水を温度設定手段２１２によって設定された温度にする。前記温度調整記憶手段２１４には、予め設定温度より所定温度高い温度が記憶されている。前記所定の温度は、季節および地域によって異なるため、場所および時期によって異なる値を基準データとして前記温度調整記憶手段２１４に記憶されている。前記温水量および／または温風量調整手段２１５は、温水の量および／または温風の量を調整することにより、温水噴霧手段２１６または温風送出手段２１９から噴射ノズル１１３を介して温水および／または温風がほどよい加減で送出する。前記温水噴霧手段２１６および温風送出手段２１９は、装置として、分ける必要はなく、一つの装置としてもよい。
【００３９】
前記浴室温度センサ２１７は、前記浴室内のリモートコントローラ１１２内に設けられており、前記浴室内の温度を検出して、温水温度制御手段２１１により、設定された温度あるいは前記設定された温度より所定温度高い温度にする。前記人体センサ２１３は、前記浴室温度センサ２１７と同様に、前記浴室内のリモートコントローラ１１２内に設けられており、浴室内に人がいるか否かを検出する。温水温度制御手段２１１は、設定された温度、あるいは前記温度調整記憶手段２１４に記憶されている温度を基にして、タイマー２１８によって、予め決められた所定時間温水を加熱するように制御する。
【００４０】
図３は本発明の実施例であるサウナ効果を備えた浴室温度制御装置の一例を説明するためのフローチャートである。図３において、サウナ効果を備えた浴室温度制御装置は、温度制御が開始される（ステップ３１１）。給湯装置における図示されていない制御手段は、設定がサウナになっているか否かを調べる（ステップ３１２）。前記制御手段は、前記給湯装置の設定がサウナになっていると判断した場合、温水温度制御手段２１１、温水量および／または温風量調整手段２１５、温水噴霧手段２１６を介して、浴室内に温水噴霧を開始する（ステップ３１３）。
【００４１】
浴室内リモートコントローラ１１２に設けられている人体センサ２１３は、前記浴室１１内に人がいるか否かを検出する（ステップ３１４）。前記制御手段は、前記人体センサ２１３による人の検出が無いと判断した場合、温水温度制御手段２１１により、設定温度より所定温度だけ上げて、温水量および／または温風量調整手段２１５に送る（ステップ３１５）。前記温水温度制御手段２１１は、温水を所定温度だけ上げた後、タイマー２１８により、所定時間が経過したか否かを調べる（ステップ３１６）。前記温水温度制御手段２１１は、所定温度を所定時間上げたと判断した場合、温水を設定温度に戻すように調整する（ステップ３１７）。
【００４２】
前記制御手段は、前記ステップ３１４において、人体センサ２１３により、人が居ると判断した場合、ステップ３１７に進む。前記制御手段は、前記浴室１１内に人がいるか否かを調べる（ステップ３１８）。前記制御手段は、前記浴室１１内に人がいると判断した場合、温水温度制御手段２１１の温水を設定温度に維持する（ステップ３１７）。前記制御手段は、人体センサ２１３により、浴室１１内に人がいないと判断した場合、温水の噴霧を停止する（ステップ３１９）。
【００４３】
ステップ３１２において、前記制御手段は、サウナに設定されていないと判断した場合、浴室暖房になっているか否かを調べる（ステップ３２０）。前記制御手段は、浴室暖房になっていないと判断した場合、ステップ３１１に戻る。前記制御手段は、設定が浴室暖房になっていると判断した場合、温水量および／または温風量調整手段２１５における温水の送出を停止し（ステップ３２１）、温風を噴射ノズル１１３から送出させる（ステップ３２２）。前記制御手段は、前記人体センサ２１３により、浴室１１内に人がいるか否かを調べる（ステップ３２３）。
【００４４】
前記制御手段は、浴室１１内に人がいないと判断した場合、前記温風の温度を設定温度から所定温度だけ上げる（ステップ３２４）。前記制御手段は、前記温風の温度を設定温度より高い温度で送り、その後、所定時間経過したか否かを調べる（ステップ３２５）。前記制御手段は、高い温度の温風を送出する時間が所定時間経過していないと判断した場合、前記ステップ３２４に戻る。前記制御手段は、前記高い温度の温風を送出する時間が所定時間経過していると判断した場合、温風の温度を設定温度に戻すように調整する（ステップ３２６）。前記制御手段は、前記人体センサ２１３により、浴室１１内に人がいるか否かを調べる（ステップ３２７）。前記制御手段は、前記浴室１１内に人がいると判断した場合、温風の温度を設定温度のままにする。前記制御手段は、前記人体センサ２１３により、人がいないと判断した場合、温風の送出を停止する（ステップ３２８）。
【００４５】
以上、本発明の実施例を詳述したが、本発明は、前記実施例に限定されるものではない。そして、本発明は、特許請求の範囲に記載された事項を逸脱することがなければ、種々の設計変更を行うことが可能である。本発明の実施例に記載されたブロック構成図は、公知または周知の技術により達成できるものである。また、本発明の浴室、リモートコントローラ、給湯装置等は、従来のものをそのまま使用でき、一部の制御手段、温度設定手段、および調整手段等を設けるだけで、温水噴霧または温風が設定温度に速くなり、しかも、安全に供給される。本実施例では、噴射ノズルから温水を噴霧することが中心に記載されているが、温水温度制御手段から温水あるいは温風も送出され、普通のシャワーあるいは暖房となることはいうまでもないことである。なお、本発明において、人体センサは、人体の有無を検出できるものであれば、どのようなタイプのものであっても良いことはいうまでもないことである。
【図面の簡単な説明】
【００４６】
【図１】本発明の実施例であるサウナ効果を備えた浴室温度制御装置のブロック概念図である。（実施例１）
【図２】本発明の実施例であるサウナ効果を備えた浴室温度制御装置のブロック構成図である。
【図３】本発明の実施例であるサウナ効果を備えた浴室温度制御装置の一例を説明するためのフローチャートである。
【符号の説明】
【００４７】
１１・・・浴室
１１１・・・浴槽
１１２・・・浴室内リモートコントローラ
１１３・・・噴射ノズル
１１２１・・・操作部
１１２２・・・人体センサ
１１２３・・・浴室内温度センサ
１１２４・・・表示部
１２・・・給湯装置
１２１・・・温水噴霧手段
１２２・・・送出管
１２３・・・温水温度制御手段
１２４・・・水道管
１２５・・・湯供給管
１２６・・・混合弁
１２７・・・切替弁
１２８・・・浴室外リモートコントローラ
１２８１・・・操作部
１２８２・・・表示部
２１１・・・温水温度制御手段
２１２・・・温度設定手段
２１３・・・人体センサ
２１４・・・温度調整記憶手段
２１５・・・温水量および／または温風量調整手段
２１６・・・温水噴霧手段
２１７・・・浴室温度センサ
２１８・・・タイマー
２１９・・・温風送出手段
【図１】
2007232300.tif 000003
【図２】
2007232300.tif 000004
【図３】
2007232300.tif 000005